(57)【要約】【課題】吸収体の吸収性及び通気性の向上を図った吸収性物品を提供すること。【解決手段】表面側を覆う透液性トップシートと、裏面側を覆う防水フィルムとの内部に吸収体を介在させて物品本体を形成し、ギャザーシートの内部に防水フィルムを装着してなる立体ギャザーの一端部を前記裏面側を覆う防水フィルムに接着すると共に他端部を前記吸収体の長手方向両縁部裏面側から起立させ、脚周り部からの体液の漏れ出し防止を図った吸収性物品において、前記裏面側を覆う防水フィルムを前記物品本体の両側部より内側に位置するように設けると共に前記透液性トップシートの端部面を前記物品本体の両側部から裏面側に巻き込んで前記裏面側を覆う防水フィルムの端部外面に貼着し、かつ前記立体ギャザーの固定端部を前記物品本体の両側部より裏面側に巻き込んで前記透液性トップシートの端部外面に貼着してなり、前記透液性トップシートと前記裏面側を覆う防水フィルムとの重なり面積を減少させることにより前記吸収体の体液吸収表面積を増大させる。【選択図】        図１
2005065729.tif 000002
【特許請求の範囲】
【請求項１】
表面側を覆う透液性トップシートと、裏面側を覆う防水フィルムとの内部に吸収体を介在させて物品本体を形成し、ギャザーシートの内部に防水フィルムを装着してなる立体ギャザーの一端部を前記裏面側を覆う防水フィルムに接着すると共に他端部を前記吸収体の長手方向両縁部裏面側から起立させ、脚周り部からの体液の漏れ出し防止を図った吸収性物品において、前記裏面側を覆う防水フィルムを前記物品本体の両側部より内側に位置するように設けると共に前記透液性トップシートの端部面を前記物品本体の両側部から裏面側に巻き込んで前記裏面側を覆う防水フィルムの端部外面に貼着し、かつ前記立体ギャザーの固定端部を前記物品本体の両側部より裏面側に巻き込んで前記透液性トップシートの端部外面に貼着してなり、前記透液性トップシートと前記裏面側を覆う防水フィルムとの重なり面積を減少させることにより前記吸収体の体液吸収表面積を増大させたことを特徴とする吸収性物品。
【請求項２】
前記裏面側を覆う防水フィルムは前記物品本体の幅方向長さの少なくとも１／４だけ内側に位置して設けられていることを特徴とする請求項１に記載の吸収性物品。
【請求項３】
前記透液性トップシートと前記裏面側を覆う防水フィルムとの重なり面は、幅方向長さで片側５〜４０ｍｍであることを特徴とする請求項２に記載の吸収性物品。
【発明の詳細な説明】
【０００１】
【発明の属する技術分野】
本発明は、吸収性物品に関し、さらに詳細には、吸収体の吸収性及び通気性の向上を図った吸収性物品に関する。
【０００２】
【従来の技術】
従来、使い捨ての紙おむつや生理用ナプキン、あるいは尿とりパッド等の吸収性物品には、目的や用途等により種々のタイプのものが製造され、市場に提供されている。
【０００３】
このような吸収性物品の一つに、図２に一部破断斜視図で、図３に図２のＸ−Ｘ断面矢視図で示すようなパンツ型の使い捨て紙おむつ１が一般に知られている。
【０００４】
すなわち、この紙おむつ１は、不織布等からなり表面側を覆う透液性トップシート２と、ポリエチレン等からなり裏面側に設けられる防水フィルム３との内部にクレープ紙４ｃで被覆された綿状パルプ等からなる吸収体４が介在され、これらの各構成部品が相互に熱溶着等により接着されておむつ本体５が形成され、さらに吸収体４の長手方向両側から体液の漏れ出し防止用の立体ギャザー６が起立して設けられてなっている。なお、おむつ本体５の最外層、すなわち防水フィルム３の外側には不織布等からなる不透液性バックシート１０が設けられている。
【０００５】
このように構成されたおむつ本体５は背部Ｂ側と腹部Ｆ側との各側端部ＢＳ、ＦＳとが合わされて接着され、これによりパンツ型とされた紙おむつ１が形成される。
【０００６】
ここに、立体ギャザー６は、図３に示すように、不織布等からなるギャザーシート７を二重に折り返し、この内部の先端部７ｂ側、すなわち自由端側に糸ゴム等からなる複数本の弾性伸縮部材８を挿通すると共に、略全長に渡ってポリエチレン等からなる防水フィルム９を装着してなっており、二重に折り返したギャザーシート７の開放端部７ａ、すなわち立体ギャザー６の固定端部が透液性トップシート２の端部２ａ外面に接着剤等により貼着されている。この結果、立体ギャザー６は吸収体４の長手方向両側から起立した状態となり、このようにして紙おむつ１の体液防漏壁（バリヤー）が形成される。
【０００７】
また、防水フィルム３は、防水性を高めるため吸収体４の裏面側全域を覆う大きさに形成されており、透液性トップシート２の端部２ａ面がおむつ本体５の両側部から裏面側に巻き込まれてこの防水フィルム３の端部３ａ外面に貼着され、また、上述したように、立体ギャザー６の固定端部（ギャザーシート７の開放端部７ａ）がおむつ本体５の両側部から裏面側に巻き込まれて透液性トップシート２の端部２ａ外面側に貼着されている。
【０００８】
【発明が解決しようとする課題】
ところで、従来のこのような立体ギャザー６を備えた吸収性物品、すなわち紙おむつ１においては、上述したように、防水性を高めるため、吸収体４の裏面側全域を覆う大きさに形成されており、図３に示すように防水フィルム３の幅方向長さＬ１が吸収体４の幅寸法とほぼ同等ないしこれより大き目に（なお、吸収体４の長さ方向に対しても同様に）設定されている。また、接着強度を上げるため、この防水フィルム３の端部３ａ面と透液性トップシート２の端部２ａ面との重なり面（接着面）の長さＬ２もかなり大きな値に設定されており、両者の接着面積が広く取られている。なお、図３に示す長さＬはおむつ本体５の幅方向長さであって、この長さＬは上述した防水フィルム３の幅方向長さＬ１とほぼ同等ないし幾分大きな値となっている。
【０００９】
しかし、このように両者の重なり面（接着面）を大きく設定することは、逆に吸収体４が体液を吸収し得る表面積、すなわち体液吸収表面積がその分だけ減少されることになり、体液吸収性能が低下する。また、防水フィルム３と重なる面積が大きいために通気性が悪化するという欠点があった。
【００１０】
本発明は、上述したような実情に鑑みてなされたもので、その目的とするところは、吸収体の吸収性及び通気性を向上させた吸収性物品を提供することにある。
【００１１】
【発明を解決するための手段】
本発明の上記目的は、表面側を覆う透液性トップシートと、裏面側を覆う防水フィルムとの内部に吸収体を介在させて物品本体を形成し、ギャザーシートの内部に防水フィルムを装着してなる立体ギャザーの一端部を前記裏面側を覆う防水フィルムに接着すると共に他端部を前記吸収体の長手方向両縁部裏面側から起立させ、脚周り部からの体液の漏れ出し防止を図った吸収性物品において、前記裏面側を覆う防水フィルムを前記物品本体の両側部より内側に位置するように設けると共に前記透液性トップシートの端部面を前記物品本体の両側部から裏面側に巻き込んで前記裏面側を覆う防水フィルムの端部外面に貼着し、かつ前記立体ギャザーの固定端部を前記物品本体の両側部より裏面側に巻き込んで前記透液性トップシートの端部外面に貼着してなり、前記透液性トップシートと前記裏面側を覆う防水フィルムとの重なり面積を減少させることにより前記吸収体の体液吸収表面積を増大させたことを特徴とする吸収性物品を提供することによって達成される。
【００１２】
また、本発明の上記目的は、前記裏面側を覆う防水フィルムは前記物品本体の幅方向長さの少なくとも１／４だけ内側に位置して設けられていることを特徴とする吸収性物品を提供することによって、より効果的に達成される。
【００１３】
さらにまた、本発明の上記目的は、前記透液性トップシートと前記裏面側を覆う防水フィルムとの重なり面は、幅方向長さで片側５〜４０ｍｍであることを特徴とする吸収性物品を提供することによって、より効果的に達成される。
【００１４】
以下、本発明の内容を上記同様に、吸収性物品がパンツ型の使い捨て紙おむつである場合を例に説明するが、本発明は必ずしも本実施例に限定されるものではなく、特許請求の範囲を逸脱しない範囲内において種々の変更ができることはいうまでもない。
【００１５】
【発明の実施の形態】
図１は、本発明の一実施形態に係わるパンツ型の使い捨て紙おむつ１０１の要部断面図で、図３に基づき説明した従来の紙おむつ１と対応させて示したものである。図１と図３とを対比してみると明らかなように、本紙おむつ１０１は構成の一部（後述する透液性トップシートの端部面と裏面側を覆う防水フィルムの端部面との重なり部の構造）が異なる以外、両者の構成は実質的に同一となっている。よって、以下では、前記紙おむつ１と対応する構成部品には１００番台の同一符号を付して説明する。
【００１６】
本紙おむつ１０１は、前記紙おむつ１と同様に、不織布等からなり表面側を覆う透液性トップシート１０２と、ポリエチレン等からなり裏面側に設けられる防水フィルム１０３との内部にクレープ紙１０４ｃで被覆された綿状パルプ等からなる吸収体１０４が介在され、これらの各構成部品が相互に熱溶着等により接着されておむつ本体１０５（図示せず）が形成され、さらに吸収体１０４の長手方向両側から体液の漏れ出し防止用の立体ギャザー１０６が起立して設けられてなっている。なお、おむつ本体１０５の最外層、すなわち防水フィルム１０３の外側には不織布等からなる不透液性バックシート１１０が設けられている。このように構成されたおむつ本体１０５は背部Ｂ側と腹部Ｆ側との各側端部ＢＳ、ＦＳ（図示せず）とが合わされて接着され、これによりパンツ型とされた紙おむつ１０１が形成される。
【００１７】
ここに、立体ギャザー１０６は、前記紙おむつ１と同様に、不織布等からなるギャザーシート１０７を二重に折り返し、この内部の先端部１０７ｂ、すなわち自由端側に糸ゴム等からなる複数本の弾性伸縮部材１０８を挿通すると共に、ほぼ全長に渡ってポリエチレン等からなる防水フィルム１０９を装着してなっており、二重に折り返したギャザーシート１０７の開放端部１０７ａ側が透液性トップシート１０２の端部１０２ａ及び防水フィルム１０３の端部１０３ａを覆うようにして裏面側で接着剤等により貼着されている。この結果、立体ギャザー１０６は吸収体１０４の長手方向両側から起立した状態となり、このようにして紙おむつ１０１の体液防漏壁（バリヤー）が形成される。
【００１８】
本紙おむつ１０１では、図示するように、裏面側を覆う防水フィルム１０３がおむつ本体１０５の両側部より内側に位置するように設けられ、透液性トップシート１０２の端部１０２ａ面がおむつ本体１０５の両側部から裏面側に巻き込まれて防水フィルム１０３の端部１０３ａ外面に長さＬ２をもって貼着され、また立体ギャザー１０６の固定端部（ギャザーシート１０７の開放端部１０７ａ）がおむつ本体１０５の両側部より裏面側に巻き込まれて透液性トップシート１０２の端部１０２ａ外面に貼着されている。
【００１９】
ここに、防水フィルム１０３がおむつ本体１０５の両側部より内側に設けられる位置は、紙おむつ本体１０５の幅方向長さの少なくとも１／４だけ、すなわち、図１に示すように、いま紙おむつ本体１０５の幅方向長さをＬ、防水フィルム１０３の幅方向長さをＬ’１としたとき、少なくともＬ−Ｌ’＝１／４Ｌとなる位置に設定されており、従来の紙おむつ１の長さ、すなわち図３に示す長さＬ−Ｌ１に比べ５％〜２５％程度縮小されて設定されている。また、透液性トップシート１０２と防水フィルム１０３との重なりの度合いは、図１に示すように幅方向における片側の長さをＬ’２とするとＬ’２＝１０ｍｍ〜５５ｍｍに、好ましくは５ｍｍ〜４０ｍｍに設定されており、従来の紙おむつ１の長さＬ２に比べ５〜２０ｍｍ程度縮小されて設定されている。なお、これらの数値は、吸収性物品の種類やサイズ等により異なるもので、本発明者が紙おむつを始めとする各種の吸収性物品について行なった実験によれば、防水性及び接着強度の観点から上述した数値範囲が好ましいことが確認されている。
【００２０】
このように、本紙おむつ１０１では、防水フィルム１０３の大きさ、及び、透液性トップシート１０２の端部１０２ａ面と防水フィルム１０３の端部１０３ａ面との重なり面が必要最小限となるように設定されている。すなわち、本紙おむつ１０１によれば、吸収体１０４が体液を吸収し得る表面積（吸収表面積）が増大されるので吸収体１０４による体液の吸収性能が向上される。この結果、着用者によって排泄された尿等の体液は、図１に矢印Ｙ１で示すように、立体ギャザー１０６を伝わって流下し、吸収体１０４の側部ないし下方端部から、矢印Ｙ２で示すように、透液性トップシート１０２を通って吸収体１０４の内部に直ちに吸収される。また、透液性トップシート１０２と防水フィルム１０３との重なり面が縮小されるので通気性が良化される。
【００２１】
以上、本発明の内容を使い捨ての紙おむつを例に説明したが、本発明はこの他、生理用ナプキン、あるいは各種パッド等の公知の吸収性物品に適用できることは前述したとおりである。
【００２２】
【発明の効果】
以上に説明したように、本発明に係わる吸収性物品は、吸収体の吸収表面積が最大となるように設定されているので、本吸収性物品によれば、従来の吸収性物品に比べ吸収体による体液の吸収性能が大幅に向上される。また、防水フィルムと透液性トップシートとの重なり面が減少されるので吸収性物品の通気性が良化されるという実用上顕著な効果が得られる。
【図面の簡単な説明】
【図１】本発明に係わるパンツ型紙おむつの要部断面図である。
【図２】従来のパンツ型紙おむつの斜視図である。
【図３】図２のＸ−Ｘ断面矢視図である。
【符号の説明】
１、１０１      パンツ型おむつ
２、１０２      透液性トップシート
３、１０３      防水フィルム
４、１０４      吸収体
５、１０５      紙おむつ本体
６、１０６      立体ギャザー
７、１０７      ギャザーシート
８、１０８      弾性伸縮部材
９、１０９      防水フィルム
１０、１１０    不透液性バックシート
【図１】
2005065729.tif 000003
【図２】
2005065729.tif 000004
【図３】
2005065729.tif 000005